(57)【要約】【課題】使用者が着座しながら保持部にシャワーヘッドを容易に保持させることができるカウンタを提供すること。【解決手段】浴室ユニット１０は、シャワーヘッド１８を有する水栓装置１２と、水栓装置１２の下方に設けられたカウンタ１５とを備えている。カウンタ１５は、上面を載置面２４として形成する本体２６と、この本体２６に形成されるとともに、シャワーヘッド１８を引っ掛け可能な保持部２８を備えて構成されている。保持部２８は、載置面２４の前方領域を凹ませることにより形成され、シャワーヘッド１８を受容した状態で当該シャワーヘッド１８を引っ掛け保持する。【選択図】図１
2007135665.tif 000002
【特許請求の範囲】
【請求項１】
上面を載置面として形成する本体と、この本体に形成されるとともに、シャワーヘッドを引っ掛け可能な保持部とを備えていることを特徴とするカウンタ。
【請求項２】
前記保持部は、前記載置面の前方領域を凹ませることにより形成されていることを特徴とする請求項１記載のカウンタ。
【請求項３】
前記保持部には、保持したシャワーヘッドの浮き上がりを規制する浮き上がり防止部が設けられていることを特徴とする請求項１又は２記載のカウンタ。
【請求項４】
前記本体は、前方に突出する膨出部を含み、この膨出部の左右両側に前記保持部がそれぞれ形成されていることを特徴とする請求項１，２又は３記載のカウンタ。
【請求項５】
前記保持部には、当該保持部の内外を通じる流路が設けられていることを特徴とする請求項１ないし４の何れかに記載のカウンタ。
【請求項６】
前記シャワーヘッドは、吐水部と、所定操作することで吐水部からの吐水を停止させる止水手段とを備えている一方、
前記保持部には操作部が設けられ、この操作部は、保持部にシャワーヘッドを引っ掛けたときに、止水手段を操作して前記吐水を停止させることを特徴とする請求項１ないし５の何れかに記載のカウンタ。
【発明の詳細な説明】
【技術分野】
【０００１】
本発明は、カウンタに係り、更に詳しくは、浴室等に用いられ、シャワーヘッドを保持することができるカウンタに関する。
【背景技術】
【０００２】
従来より知られている浴室ユニットとして、使用者が手に持ちながら吐水を行えるシャワーヘッドや、洗面器等を載せて利用可能なカウンタを備えたものが存在する。かかる浴室ユニットにおいて、シャワーヘッドは、未使用時或いは使用中断時に、シャワーフックを介して保持され、このシャワーフックは、通常、カウンタ後方における壁面やミラーパネルの所定高さ位置に設けられる。
【発明の開示】
【発明が解決しようとする課題】
【０００３】
しかしながら、前記カウンタにあっては、平面積を確保すべくある程度の前後幅を有するので、カウンタ前に着座した使用者からシャワーフックまでの距離が長くなる傾向がある。このため、例えば、洗髪前や洗髪中に一時的にシャワーヘッドの使用を中断するときに、使用者が立ち上がらなければシャワーフックにシャワーヘッドを保持させることができなくなる。特に洗髪中には、シャンプー等で目を開け難くなったりして、シャワーフックに保持させることが面倒となり、立ち上がることなく着座しながら膝の上や床面上にシャワーヘッドを一時的に置く場合が多くなる。これにより、洗髪時に膝の上のシャワーヘッドが邪魔になったり、床面上に置いたシャワーヘッドが不用意に移動し、洗髪中の目を閉じた状態でシャワーヘッドを探り当て難くなる等といった不都合を招来する。
【０００４】
［発明の目的］
本発明は、このような不都合に着目して案出されたものであり、その目的は、使用者が保持部にシャワーヘッドを保持させる作業を容易に行うことができ、シャワーヘッドの使い勝手を向上させることができるカウンタを提供することにある。
【課題を解決するための手段】
【０００５】
前記目的を達成するため、本発明は、上面を載置面として形成する本体と、この本体に形成されるとともに、シャワーヘッドを引っ掛け可能な保持部とを備える、という構成を採っている。
【０００６】
本発明において、前記保持部は、前記載置面の前方領域を凹ませることにより形成される、という構成を採ることが好ましい。
【０００７】
また、前記保持部には、保持したシャワーヘッドの浮き上がりを規制する浮き上がり防止部が設けられる、という構成を採用することができる。
【０００８】
更に、前記本体は、前方に突出する膨出部を含み、この膨出部の左右両側に前記保持部がそれぞれ形成される、という構成も好ましくは採用される。
【０００９】
また、前記保持部に、その内外を通じる流路を設けることが好ましい。
【００１０】
更に、前記シャワーヘッドは、吐水部と、所定操作することで吐水部からの吐水を停止させる止水手段とを備えている一方、
前記保持部には操作部が設けられ、この操作部は、保持部にシャワーヘッドを引っ掛けたときに、止水手段を操作して前記吐水を停止させる、という構成を採用してもよい。
【発明の効果】
【００１１】
本発明によれば、壁面等のシャワーフックを利用することなく、着座した使用者の近くに位置するカウンタの保持部にシャワーヘッドを引っ掛けることができる。これにより、例えば、洗髪時に着座しながら保持部にシャワーヘッドを簡単且つ楽に保持させることができ、洗髪中にシャワーヘッドが邪魔になることがなくなる。また、使用者が目を閉じた状態でも、保持部に保持されたシャワーヘッドが把持し易くなり、使い勝手を向上させることが可能となる。
【００１２】
また、載置面の前方領域を凹ませることにより保持部を形成したので、カウンタを成形品とした場合、当該カウンタに保持部を簡単に形成できる他、カウンタ前で着座した使用者にできるだけ近く見易い位置に保持部を配置することが可能となる。これにより、保持部にシャワーヘッドを容易且つ迅速に保持させることができ、シャワーヘッドの使用を一瞬だけ中断したい場合や、使用中断を繰り返し行う場合に有利となる。
【００１３】
更に、保持部に浮き上がり規制部を設けたから、シャワーヘッドが保持部から意図することなく脱落することを抑制することができる。
【００１４】
また、膨出部の左右両側に保持部をそれぞれ設けた場合、左右の何れの手でシャワーヘッドを持っていたとしても、左右の手でシャワーヘッドを持ち替えることをなくスムースに保持部に保持させることが可能となる。
【００１５】
更に、保持部に流路を設けたから、保持部内に水が残ることを抑制でき、汚れ等を付着し難くすることができる。
【００１６】
また、保持部に設けた操作部により、当該保持部にシャワーヘッドを引っ掛けることにより、シャワーヘッドの吐水を停止させることができ、止水手段を操作する手間を省略できて取扱性をより一層高めることが可能となる。
【発明を実施するための最良の形態】
【００１７】
以下、本発明の好ましい実施の形態について図面を参照しながら説明する。
なお、本明細書及び特許請求の範囲において、「水」とは、「湯水」をも含む概念として用いる。
【００１８】
図１には、実施形態に係るカウンタが適用された浴室ユニットの部分概略斜視図が示されている。この図において、浴室ユニット１０は、浴槽１１と、浴室ユニット１０を形成する壁面１０Ａに設けられた水栓１２と、浴槽１１に隣接する洗い場領域１３における水栓１２の下方位置に設けられたカウンタ１５とを備えて構成されている。
【００１９】
水栓１２には、一端側にシャワーヘッド１８が設けられたシャワーホース１７が連結されている。図２及び図３にも示されるように、シャワーヘッド１８は、シャワーホース１７に接続された平面視しゃもじ状をなすヘッド本体２０と、このヘッド本体２０の下面側に形成された図示しない多数の穴を有する吐水部２１と、ヘッド本体２０の下面側から突出するとともに、吐水部２１の図２中下方に隣接する位置に設けられた止水手段としての止水ボタン２２とを備えて構成されている。ヘッド本体２０は、平面視で、シャワーホース１７との接続部分から先端（図２中上端）に向かって拡がる左右一対の傾斜端部２０Ａ，２０Ａを備えている。止水ボタン２２は、押圧操作可能に設けられており、ヘッド本体２０の外周面からはみ出ない位置まで押圧することで吐水部２１からの吐水を停止でき、当該押圧を解除することで前記吐水を許容するようになっている。
【００２０】
前記カウンタ１５は、特に限定されるものでないが、本実施形態では、樹脂材料を用いた一体成形品とされ、入浴に利用される小物や洗面器等を載せる載置面２４（図１参照）を上面に形成している。カウンタ１５は、平面視左右に長い略長方形状に形成された板状の本体２６と、この本体２６の左右方向中央部から手前側に円弧状に突出する膨出部２７と、この膨出部２７の左右両側における本体２６の前端側にそれぞれ設けられた一対の保持部２８，２８とを備えて構成されている。カウンタ１５の高さ位置は、本実施形態では、浴槽１１の上端面と載置面２４が略同じ高さとなるように設定されている。
【００２１】
前記各保持部２８，２８は、前記載置面２４の前部領域を下方に凹ませることにより形成されるとともに、シャワーヘッド１８の外形に対応した内面形状を備え、シャワーヘッド１８を受容した状態で引っ掛け可能に設けられている。具体的には、保持部２８は、図２及び図３に示されるように、シャワーヘッド１８の先端形状に対応した平面視円弧状に形成された後部面３０と、この後部面３０の左右両側から手前側に延びる一対の側面３１，３１と、後部面３０の下側に連なる第１の支持面３２と、この第１の支持面３２の手前側に略水平面３４を介して連なる操作部としての第２の支持面３５と、後部面３０の上部で手前側に突出する浮き上がり防止部としての突条部３６とを備え、上方及び手前側を開放する形状に設けられている。
【００２２】
前記各側面３１，３１の離間幅は、手前方向に向かうに従って狭くなっており、保持部２８内にシャワーヘッド１８を受容したときに、前記ヘッド本体２０の傾斜端部２０Ａ，２０Ａに当接して引っ掛かり、シャワーヘッド１８の手前方向への移動を規制することができる。第１及び第２の支持面３２，３５は、手前方向に向かうに従って下降する傾斜面とされている。図４に示されるように、第１の支持面３２には、シャワーヘッド１８の吐水部２１が載置される。第２の支持面３５には、ヘッド本体２０の下面側が載置され、この状態で止水ボタン２２をヘッド本体２０の下面からはみ出さないように押圧するようになっている。突条部３６は、シャワーヘッド１８の先端側における上側に被さるように位置しており、保持部２８に保持されたシャワーヘッド１８の上昇移動を規制することができる。
【００２３】
以上の構成において、シャワーヘッド１８を保持部２８に保持させる場合、吐出部２１を下向きとし、突条部３６の下側にヘッド本体２０の先端側を潜り込ませるようにシャワーヘッド１８を移動させつつ、シャワーヘッド１８を保持部２８の上方から被せるように受容させればよい。これにより、突条部３６がヘッド本体２０の先端側に引っ掛かるとともに、ヘッド本体２０の傾斜端部２０Ａ，２０Ａが各側面３１，３１に当接して引っ掛かり、シャワーヘッド１８が保持部２８に保持される。このとき、第１の支持面３２上に吐水部２１が載置されるとともに、第２の支持面３５によって止水ボタン２２が押圧操作され、ヘッド本体２１の下面側が第２の支持面３５上に載る。従って、吐水部２１から吐水した状態でシャワーヘッド１８を保持部２８に保持させることにより、前記吐水が停止することとなり、この状態で保持部２８からシャワーヘッド１８を取り出すと、止水ボタン２２が初期位置に復帰し、再度同じ水温（湯温）・吐水量で吐水が開始される。
【００２４】
なお、シャワーヘッド１８を保持させる際、左右の何れの保持部２８に保持させてもよい。例えば、シャワーヘッド１８を右手で持っている場合、左手に持ち替えることなく右側の保持部２８に容易に保持させることができ、左手で持った場合も同様に持ち替えを不要として左側の保持部２８に保持させることが可能となる。
【００２５】
従って、このような実施形態によれば、カウンタ１５の手前に着座した者が立ち上がることなく保持部２８にシャワーヘッド１８を保持させたり、保持されたシャワーヘッド１８を把持することができる。また、保持部２８は上方と手前側とを開放する形状としたので、カウンタ１５の載置面２４にシャワーヘッド１８を置くようにして簡単に保持させることが可能となる。
【００２６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
前記シャワーヘッド１８や保持部２８の形状は、当該保持部２８にシャワーヘッド１８に引っ掛け保持可能な構造である限りにおいて、種々の変更が可能である。例えば、図５に示されるように、浮き上がり防止部３６を省略した構成としてもよく、これによれば、よりスムースな動作によってシャワーヘッド１８を保持させることができる。また、図６に示されるように、吐水部２１の一部が載置面２４の上方に位置するように保持部２８の深さを設定してもよい。
更に、図７に示されるように、保持部２８の第１の支持面３２に上下方向（同図中紙面直交方向）に貫通する流路３８を設けてもよい。この流路３８は、保持部２８の内外を通じるようになり、シャワーヘッド１８を吐水しながら保持させたときに、流路３８を通じて保持部２８内の水を排水でき、吐水の圧力によりシャワーヘッド１８が意図することなく移動することを抑制できる。また、第１の支持面３２から第２の支持面３５側に亘って溝状に延びる流路を設けてもよく、これによっても、保持部２８内の水をスムースに排水することができる。
また、止水ボタン２２の位置はヘッド本体２０の傾斜端部２０Ａ側に設けたりしてもよく、また、止水ボタン２２に変えてレバー部材等により止水手段を構成してもよい。この場合、シャワーヘッド１８の保持時に、保持部２８の内側において止水ボタン２２や止水手段に当接して吐水を停止させる操作を行う領域を設けることが好ましい。
【図面の簡単な説明】
【００２８】
【図１】実施形態に係るカウンタが適用された浴室ユニットの部分概略斜視図。
【図２】カウンタ及びシャワーヘッドの拡大平面図。
【図３】カウンタの要部の部分縦断面図。
【図４】保持部にシャワーヘッドを保持させた状態の図３と同様の断面図。
【図５】変形例に係る実施形態の図４と同様の断面図。
【図６】他の変形例に係る実施形態の図４と同様の断面図。
【図７】更に他の変形例に係る実施形態の拡大平面図。
【符号の説明】
【００２９】
１５・・・カウンタ、１８・・・シャワーヘッド、２１・・・吐水部、２２・・・止水ボタン、２４・・・載置面、２６・・・本体、２７・・・膨出部、２８・・・保持部、３５・・・第２の支持面（操作部）、３６・・・突条部（浮き上がり防止部）、３８・・・流路
【図１】
2007135665.tif 000003
【図２】
2007135665.tif 000004
【図３】
2007135665.tif 000005
【図４】
2007135665.tif 000006
【図５】
2007135665.tif 000007
【図６】
2007135665.tif 000008
【図７】
2007135665.tif 000009